(57)【要約】【課題】照明機器が配置された天井側領域での空気の高温化防止と、人が活動する下方側領域での快適性向上との夫々を適時実現することができる技術を提供する。【解決手段】天井側領域Ａ１に、天井側給気口３ａと天井側排気口７ａとが配置され、下方側領域Ａ２に、下方側給気口６ａが配置され、天井側領域Ａ１に対して天井側給気口３ａから空調空気ＳＡを供給すると共に、天井側領域Ａ１の空気ＲＡを天井側排気口７ａから外部に排出する天井側領域空調運転を実行可能な手段５１と、下方側領域Ａ２に対して下方側給気口６ａから空調空気ＳＡを供給して当該下方側領域Ａ２に低温空気層を形成する下方側領域空調運転を実行可能な手段５２と、を備えた。【選択図】図１
2019152415.tif 000002
【特許請求の範囲】
【請求項１】
照明機器を配置した天井側領域を上方に有する空調対象空間に対して空調機で冷却された空調空気を給気口から供給しながら、当該空調対象空間の空気を排気口から外部に排出する空調システムであって、
前記天井側領域に、前記給気口としての天井側給気口と、前記排気口としての天井側排気口とが配置され、
前記空調対象空間において前記天井側領域の下方側に位置する下方側領域に、前記給気口としての下方側給気口が配置され、
前記天井側領域に対して前記天井側給気口から空調空気を供給すると共に、前記天井側領域の空気を前記天井側排気口から外部に排出する天井側領域空調運転を実行可能な天井側領域空調運転手段と、
前記下方側領域に対して前記下方側給気口から空調空気を供給して当該下方側領域に低温空気層を形成する下方側領域空調運転を実行可能な下方側領域空調運転手段と、を備えた空調システム。
【請求項２】
前記下方側給気口が、前記下方側領域に対して水平方向に空調空気を吹き出す姿勢で配置されている請求項１に記載の空調システム。
【請求項３】
複数の空調モードから実行する空調モードを切り替え可能な空調モード切替手段を備え、
前記複数の空調モードが、前記天井側領域空調運転手段による前記天井側領域空調運転の実行を停止しながら前記下方側領域空調運転手段により前記下方側領域空調運転を実行させる第１空調モードと、前記天井側領域空調運転手段により前記天井側領域空調運転を実行させながら前記下方側領域空調運転手段により前記下方側領域空調運転を実行させる第２空調モードとを含む請求項１又は２に記載の空調システム。
【請求項４】
床面の下側に床下空間が形成され、
前記下方側領域空調運転手段が、前記下方側領域空調運転において、前記下方側給気口に供給される前の空調空気を前記床下空間に通流させて前記床面を冷却する請求項１〜３の何れか１項に記載の空調システム。
【請求項５】
前記下方側領域の側方にホリゾントが立設され、
前記ホリゾントの裏面側にホリゾント裏面側空間が形成されていると共に、当該ホリゾント裏面側空間の上方に、前記給気口としてのホリゾント裏面側給気口が配置され、
前記ホリゾント裏面側空間に対して前記ホリゾント裏面側給気口から空調空気を供給して前記ホリゾントを冷却するホリゾント冷却運転を実行可能なホリゾント冷却運転手段を備えた請求項１〜４の何れか１項に記載の空調システム。
【請求項６】
前記ホリゾントの下方側に、前記ホリゾント裏面側空間に連通するホリゾントピットが形成されていると共に、当該ホリゾントピットに、前記排気口としてのホリゾントピット排気口が配置され、
前記ホリゾント冷却運転手段が、前記ホリゾント冷却運転において、前記ホリゾントピットの空気を前記ホリゾントピット排気口から外部に排出する請求項５に記載の空調システム。
【発明の詳細な説明】
【技術分野】
【０００１】
本発明は、照明機器を配置した天井側領域を上方に有する空調対象空間に対して空調機で冷却された空調空気を給気口から供給しながら、当該空調対象空間の空気を排気口から外部に排出する空調システムに関する。
【背景技術】
【０００２】
照明機器を配置した天井側領域を上方に有するスタジオや劇場のステージなどの空調対象空間の空調を行うための従来の空調システムとして、空調機で冷却された空調空気を空調対象空間に供給するための給気口を天井側に配置すると共に、空調対象空間の空気を外部に排出するための排気口を床側に配置したものが知られている（例えば、特許文献１を参照。）。
即ち、この空調システムでは、空調対象空間において、天井側にて空調空気の給気が行われると共に、床側にて排気が行われることから、天井側から床側に向かう空気の流れが生じる。
【先行技術文献】
【特許文献】
【０００３】
【特許文献１】特開平０６−２５０５９７号公報
【発明の概要】
【発明が解決しようとする課題】
【０００４】
スタジオや劇場のステージなどの空調対象空間では、多数の照明機器が配置された天井側領域での空気の高温化防止と人が活動する下方側領域での快適性向上を適時実現することが望まれている。
しかしながら、上記特許文献１に記載の空調システムでは、天井側領域と下方側領域とを天井側から床側に向かう空気の流れにより同時に空調するものであるため、照明機器の熱が下方側領域に流入して当該下方側領域での快適性が悪化する。よって、そのような快適性の悪化を抑制するべく、天井側において過剰に空調空気を供給することで、省エネルギ性が悪化するという問題が生じる。
【０００５】
この実情に鑑み、本発明の主たる課題は、照明機器を配置した天井側領域を上方に有する空調対象空間に対して空調機で冷却された空調空気を給気口から供給しながら、当該空調対象空間の空気を排気口から外部に排出する空調システムにおいて、照明機器が配置された天井側領域での空気の高温化防止と、人が活動する下方側領域での快適性向上との夫々を適時実現することができる技術を提供する点にある。
【課題を解決するための手段】
【０００６】
本発明の第１特徴構成は、照明機器を配置した天井側領域を上方に有する空調対象空間に対して空調機で冷却された空調空気を給気口から供給しながら、当該空調対象空間の空気を排気口から外部に排出する空調システムであって、
前記天井側領域に、前記給気口としての天井側給気口と、前記排気口としての天井側排気口とが配置され、
前記空調対象空間において前記天井側領域の下方側に位置する下方側領域に、前記給気口としての下方側給気口が配置され、
前記天井側領域に対して前記天井側給気口から空調空気を供給すると共に、前記天井側領域の空気を前記天井側排気口から外部に排出する天井側領域空調運転を実行可能な天井側領域空調運転手段と、
前記下方側領域に対して前記下方側給気口から空調空気を供給して当該下方側領域に低温空気層を形成する下方側領域空調運転を実行可能な下方側領域空調運転手段と、を備えた点にある。
【０００７】
本構成によれば、空調対象空間において天井側領域の下方側に位置して人が活動する下方側領域では、下方側領域空調運転を実行することにより、空調機で冷却された低温の空調空気を下方側給気口から直接供給して、快適な低温空気層を形成することができる。
一方、照明機器が配置された天井側領域については、天井側領域空調運転を実行することにより、空調機で冷却された低温の空調空気を天井側給気口から直接供給して、天井側領域を比較的低温の状態に維持することができる。
更に、この天井側領域空調運転において、天井側領域にて照明機器の発熱により昇温した比較的高温の空気については、その下方側に比較的低温の低温空気層が存在することにより天井側領域に滞留し、その滞留する比較的高温の空気を天井側排気口から直接外部に排出することができる。このことで、比較的高温の空気が天井側領域から下方側領域に流入することを抑制できる。
【０００８】
従って、天井側領域空調運転と下方側領域空調運転との夫々を適時実行することにより、エネルギ消費量の増加を抑制しながら夫々の領域での空調負荷の変動に対応することができ、結果、照明機器が配置された天井側領域での空気の高温化防止と、人が活動する下方側領域での快適性向上との夫々を、適時実現することができる。
【０００９】
本発明の第２特徴構成は、前記下方側給気口が、前記下方側領域に対して水平方向に空調空気を吹き出す姿勢で配置されている点にある。
【００１０】
本構成によれば、下方側領域空調運転において、下方側給気口から下方側領域に対して水平方向に空調空気が吹き出されるので、当該吹き出された空調空気が上方に逃げることなく良好に下方側領域に滞留する。よって、当該滞留する空調空気により下方側領域に一層快適な低温空気層を形成することができる。
【００１１】
本発明の第３特徴構成は、複数の空調モードから実行する空調モードを切り替え可能な空調モード切替手段を備え、
前記複数の空調モードが、前記天井側領域空調運転手段による前記天井側領域空調運転の実行を停止しながら前記下方側領域空調運転手段により前記下方側領域空調運転を実行させる第１空調モードと、前記天井側領域空調運転手段により前記天井側領域空調運転を実行させながら前記下方側領域空調運転手段により前記下方側領域空調運転を実行させる第２空調モードとを含む点にある。
【００１２】
本構成によれば、天井側領域における照明機器の発熱が無い又は少ない状態では、天井側領域から下方側領域への比較的高温の空気の流入が略無い状態となる。よって、そのような状態では、第１空調モードに切り替えて、天井側領域空調運転の実行を停止しながら下方側領域空調運転を実行させることで、空調負荷の増加を抑制してエネルギ消費量を削減しながら、下方側領域に快適な低温空気層を形成することができる。
一方、天井側領域における照明機器の発熱が多くなる状態では、第２空調モードに切り替えて、天井側領域空調運転及び下方側領域空調運転の両方を実行させることで、天井側領域の高温空気が下方側の下方側領域に流入することを抑制しながら、下方側領域に形成された低温空気層を快適な状態で維持することができる。
【００１３】
本発明の第４特徴構成は、床面の下側に床下空間が形成され、
前記下方側領域空調運転手段が、前記下方側領域空調運転において、前記下方側給気口に供給される前の空調空気を前記床下空間に通流させて前記床面を冷却する点にある。
【００１４】
本構成によれば、下方側領域空調運転が実行されることにより、床下空間を通流する低温の空調空気との熱交換により床面が冷却される。よって、床面上の下方側領域に形成される低温空気層を、床面からの冷熱により一層快適な状態で維持することができる。また、このような下方側領域空調運転では、床面上には低温空気層が維持されているので、床面からの放熱が抑制されて、その下面側の床下空間を通流する空調空気の温度上昇が抑制される。よって、床下空間から下方側給気口に対して比較的低温の空調空気を供給することができ、その空調空気を床面上の下方側領域に供給して、低温空気層を良好に形成することができる。
【００１５】
本発明の第５特徴構成は、前記下方側領域の側方にホリゾントが立設され、
前記ホリゾントの裏面側にホリゾント裏面側空間が形成されていると共に、当該ホリゾント裏面側空間の上方に、前記給気口としてのホリゾント裏面側給気口が配置され、
前記ホリゾント裏面側空間に対して前記ホリゾント裏面側給気口から空調空気を供給して前記ホリゾントを冷却するホリゾント冷却運転を実行可能なホリゾント冷却運転手段を備えた点にある。
【００１６】
本構成によれば、ホリゾント冷却運転が実行されることにより、ホリゾント裏面側空間を上方のホリゾント裏面側給気口から下方に向けて降下する低温の空調空気との熱交換によりホリゾントが冷却される。よって、ホリゾントの表面側の下方側領域に形成される低温空気層を、側面のホリゾントからの冷熱により一層快適な状態で維持することができる。
【００１７】
本発明の第６特徴構成は、上記第５特徴構成に加えて、前記ホリゾントの下方側に、前記ホリゾント裏面側空間に連通するホリゾントピットが形成されていると共に、当該ホリゾントピットに、前記排気口としてのホリゾントピット排気口が配置され、
前記ホリゾント冷却運転手段が、前記ホリゾント冷却運転において、前記ホリゾントピットの空気を前記ホリゾントピット排気口から外部に排出する点にある。
【００１８】
本構成によれば、照明機器が設置されるホリゾントピットについては、ホリゾント冷却運転を実行することにより、ホリゾント裏面側空間を降下した比較的低温の空調空気をホリゾントピットに流入させて、当該ホリゾントピットを比較的低温の状態に維持することができる。更に、このホリゾント冷却運転において、ホリゾントピットにて照明機器の発熱により昇温した比較的高温の空気については、ホリゾントピットに配置されたホリゾントピット排気口から直接外部に排出することができる。このことで、比較的高温の空気がホリゾントピットから下方側領域に流入することを抑制できる。
【図面の簡単な説明】
【００１９】
【図１】本実施形態の空調システムの概略構成図
【発明を実施するための形態】
【００２０】
本発明の実施形態について図１に基づいて説明する。
本実施形態の空調システム（以下、「本空調システム」と呼ぶ。）は、スタジオや劇場のステージなどの空調対象空間Ａの空調を行うために、空調機１で冷却された空調空気ＳＡを給気口３ａ，３ｂ，４ａ，５ａ，６ａから供給しながら、当該空調対象空間Ａの空気を排気口７ａ，３０ａから外部に排出するように構成されている。尚、本実施形態において、排気口７ａ，３０ａから排出される空気は、一部又は全部を還気ＲＡとして空調機１に還流させるが、排気として屋外に排出するように構成しても構わない。
【００２１】
このようなスタジオ等として構成された空調対象空間Ａにおいて上方側に位置する天井側領域Ａ１には、キャットウォーク４０が設けられており、そのキャットウォーク４０に固定される状態で複数の照明機器４５が配置されている。
【００２２】
一方、空調対象空間Ａにおいて天井側領域Ａ１の下方側に位置する下方側領域Ａ２は、人が活動する領域であり、その側方には、背景となる壁板や壁幕等のホリゾント２０が立設されている。
そして、下方側領域Ａ２の側面を規定するホリゾント２０の裏面側には、壁面との間にホリゾント裏面側空間２１が形成されている。床面１１の側方において上記ホリゾント２０の下端部に隣接する箇所には、床面１１よりも下に凹状となるホリゾントピット３０が設けられており、そのホリゾントピット３０にも複数の照明機器３５が配置されている。
ホリゾント２０の下端部には、ホリゾント裏面側空間２１とホリゾントピット３０とを連通させる連通口２１ａが形成されている。
また、下方側領域Ａ２の床面１１の下側には、床下空間１２が形成されている。
【００２３】
空調機１は、還気ＲＡや外気等の空気を冷媒との熱交換等により所望温度に冷却して低温の空調空気ＳＡを生成する。空調機１で生成された空調空気ＳＡは、給気ダクト２から複数の給気ダクト３，４，５，６を通じて空調対象空間Ａに配置された各給気口３ａ，３ｂ，４ａ，５ａ，６ａ，１２ａに供給される。
【００２４】
天井側給気ダクト３は、天井側領域Ａ１に配置された天井側給気口３ａ及び照明下給気口３ｂに接続された給気ダクトである。これら天井側給気口３ａ及び照明下給気口３ｂは、空調空気ＳＡを下向きに吹き出す姿勢で設けられている。また、天井側給気口３ａは、照明機器４５よりも高い位置に設けられており、一方、照明下給気口３ｂは、照明機器４５と同じ高さ又はそれよりも若干低い位置に設けられている。
空調機１側の給気ダクト２に対する天井側給気ダクト３の接続部位には、給気ダクト２から天井側給気ダクト３への空調空気ＳＡの供給を断続可能な開閉ダンパＶ１が設けられている。
そして、この開閉ダンパＶ１を開状態とすることで空調機１から天井側給気ダクト３に供給された空調空気ＳＡは、天井側給気口３ａから照明機器４５に向けて吹出されると共に、照明下給気口３ｂから下方側領域Ａ２に向けて吹き出される。
【００２５】
ホリゾント側給気ダクト４は、ホリゾント裏面側空間２１の上方側に開口するホリゾント裏面側給気口４ａに接続された給気ダクトである。
空調機１側の給気ダクト２に対するホリゾント側給気ダクト４の接続部位には、給気ダクト２からホリゾント側給気ダクト４への空調空気ＳＡの供給を断続可能な開閉ダンパＶ４が設けられている。
そして、この開閉ダンパＶ４を開状態とすることで空調機１からホリゾント側給気ダクト４に供給された空調空気ＳＡは、ホリゾント裏面側給気口４ａからホリゾント裏面側空間２１の上方側に供給される。
また、このホリゾント裏面側空間２１の上方側に供給された空調空気ＳＡは、それが低温であることから当該空間２１を自然に降下する。そして、ホリゾント裏面側空間２１の下方側に到達した空調空気ＳＡが、連通口２１ａを通じてホリゾントピット３０に流入する。
【００２６】
床下側給気ダクト５は、床下空間１２に開口する床下側給気口５ａに接続された給気ダクトである。
空調機１側の給気ダクト２に対する床下側給気ダクト５の接続部位には、給気ダクト２から床下側給気ダクト５への空調空気ＳＡの供給を断続可能な開閉ダンパＶ２が設けられている。
そして、この開閉ダンパＶ２を開状態とすることで空調機１から床下側給気ダクト５に供給された空調空気ＳＡは、床下側給気口５ａから床下空間１２に供給される。
更に、床面１１には、床面給気口１１ａ（下方側給気口の一例）が設けられている。そして、この開閉ダンパＶ２を開状態とすることで床下空間１２を通流した空調空気ＳＡは、床面給気口１１ａに供給されて、その床面給気口１１ａから下方側領域Ａ２に対して吹き出される。
【００２７】
タスク空調用給気ダクト６は、下方側領域Ａ２に設置されたタスク空調用ノズル６Ａに接続された給気ダクトである。タスク空調用ノズル６Ａの先端部には、水平方向に向けて開口するタスク空調用給気口６ａが設けられている。
空調機１側の給気ダクト２に対するタスク空調用給気ダクト６の接続部位には、給気ダクト２からタスク空調用給気ダクト６への空調空気ＳＡの供給を断続可能な開閉ダンパＶ３が設けられている。
そして、この開閉ダンパＶ３を開状態とすることで空調機１からタスク空調用給気ダクト６に供給された空調空気ＳＡは、タスク空調用ノズル６Ａを通じてタスク空調用給気口６ａに供給されて、当該タスク空調用給気口６ａから下方側領域Ａ２に対して水平方向に吹き出される。
また、このタスク空調用ノズル６Ａは、設置位置やタスク空調用給気口６ａの向き等を任意に変更可能に構成されている。
【００２８】
一方、空調対象空間Ａの空気は還気ＲＡとして排気ダクト７，８を通じて外部に排出される。
天井側排気ダクト７は、天井側領域Ａ１に配置された天井側排気口７ａに接続された排気ダクトである。また、この天井側排気ダクト７には、天井側排気ダクト７から外部への還気ＲＡの排出を断続可能な開閉ダンパＶ５が設けられている。
そして、この開閉ダンパＶ５を開状態とすることで、天井側領域Ａ１の空気が、天井側排気口７ａから天井側排気ダクト７に取り出されて、還気ＲＡとして外部に排出される。
尚、この天井側排気口７ａは、天井側給気口３ａよりも高い位置に設けられている。これにより天井側給気口３ａから下向きに吹き出された空調空気ＳＡが直接天井側排気口７ａから排出されることを抑制できる。
【００２９】
床側排気ダクト８は、ホリゾントピット３０に設けられたホリゾントピット排気口３０ａに接続された排気ダクトである。具体的に、ホリゾントピット排気口３０ａは、床下空間１２の下方側に形成された排気用空間１３に開口しており、床側排気ダクト８は、その排気用空間１３に接続されている。
また、この床側排気ダクト８には、床側排気ダクト８から外部への還気ＲＡの排出を断続可能な開閉ダンパＶ６が設けられている。
そして、この開閉ダンパＶ６を開状態とすることで、ホリゾントピット３０の空気が、ホリゾントピット排気口３０ａから排気用空間１３を通じて床側排気ダクト８に取り出されて、還気ＲＡとして外部に排出される。
【００３０】
本空調システムには、運転を制御するための制御部５０が設けられており、当該制御部５０は、所定のコンピュータプログラムを実行することで、所定の天井側領域空調運転を実行可能な天井側領域空調運転手段５１、所定の下方側領域空調運転を実行可能な下方側領域空調運転手段５２、所定のホリゾント冷却運転を実行可能なホリゾント冷却運転手段５３、及び、所定の空調モード切替処理を実行可能な空調モード切替手段５４として機能する。
以下、各手段５１〜５４により実行される運転及び処理の詳細について説明を加える。
【００３１】
〔天井側領域空調運転〕
天井側領域空調運転手段５１は、開閉ダンパＶ１及び開閉ダンパＶ５を開状態とする形態で、天井側領域Ａ１に対して天井側給気口３ａから空調空気ＳＡを供給すると共に、天井側領域Ａ１の空気を天井側排気口７ａから外部に排出する天井側領域空調運転を実行可能に構成されている。
このような天井側領域空調運転を実行することにより、照明機器４５が配置された天井側領域Ａ１では、空調機１で冷却された低温の空調空気ＳＡが天井側給気口３ａから直接供給される。このことで、照明機器４５が作動して発熱している状態であっても、天井側領域Ａ１が比較的低温の状態に維持される。
【００３２】
更に、天井側領域Ａ１にて照明機器４５の発熱により昇温した比較的高温の空気は天井側排気口７ａから直接外部に排出される。このことで、照明機器４５の発熱により比較的高温となった天井側領域Ａ１の空気が、その下方側にある下方側領域Ａ２に流入することが抑制される。このとき、天井側排気口７ａからの排気量は、天井側給気口３ａからの空調空気ＳＡの給気量と同等又はそれ以上に設定されている。このことにより、天井側領域Ａにて照明機器４５の発熱により昇温した空気の略全てを天井側給気口３ａから外部に排出することができ、天井側領域Ａ１から下方側領域Ａ２への高温空気の流入を適切に防止することができる。
更に、この天井側領域空調運転では、照明下給気口３ｂからも空調空気ＳＡを吹き出すことができる。照明下給気口３ｂから吹き出された空調空気ＳＡは、照明機器４５の発熱の影響を略受けることなく低温のまま下方側領域Ａ２に供給されることになる。このことで、下方側領域Ａ２での快適性が向上されている。
【００３３】
〔下方側領域空調運転〕
下方側領域空調運転手段５２は、開閉ダンパＶ２及び開閉ダンパＶ３を開状態とする形態で、下方側領域Ａ２に対して下方側給気口としてのタスク空調用給気口６ａや床面給気口１１ａから空調空気ＳＡを供給する下方側領域空調運転を実行可能に構成されている。
このような下方側領域空調運転を実行することにより、下方側領域Ａ２では、下方側給気口６ａ，１１ａから供給された低温の空調空気ＳＡが床面１１上に滞留して、当該滞留する低温の空気で構成された快適な低温空気層が形成される。
また、タスク空調用給気口６ａが、下方側領域Ａ２に対して水平方向に空調空気ＳＡを吹き出す姿勢で配置されているので、当該タスク空調用給気口６ａから下方側領域Ａ２に対して水平方向に吹き出された空調空気ＳＡは、上方に逃げることなく良好に下方側領域Ａ２に滞留する。よって、下方側領域Ａ２には、一層快適な低温空気層が形成される。
【００３４】
更に、この下方側領域空調運転では、床面給気口１１ａに供給される前の空調空気ＳＡが床下空間１２に通流して床面１１を冷却する。よって、床面１１上の下方側領域Ａ２に形成される低温空気層が、床面１１からの冷熱により一層低温で快適な状態に維持される。また、床面１１上には低温空気層が維持されているので、床面１１の温度上昇が抑制され、その下に形成された床下空間１２を通流する空調空気ＳＡの温度上昇についても抑制される。よって、床下空間１２から床面給気口１１ａに対して供給される空調空気ＳＡを比較的低温に保つことができ、結果、床面給気口１１ａから吹き出される空調空気ＳＡにより形成される低温空気層を快適なものに保つことができる。
尚、この床面給気口１１ａについても、タスク空調用給気口６ａと同様に、下方側領域Ａ２に対して水平方向に空調空気ＳＡを吹き出すように構成しても構わない。
【００３５】
〔ホリゾント冷却運転〕
ホリゾント冷却運転手段５３は、開閉ダンパＶ４を開状態とする形態で、ホリゾント裏面側空間２１に対してホリゾント裏面側給気口４ａから空調空気ＳＡを供給してホリゾント２０を冷却するホリゾント冷却運転を実行可能に構成されている。更に、ホリゾント冷却運転手段５３は、ホリゾント冷却運転において、開閉ダンパＶ６を開状態とする形態で、ホリゾントピット３０の空気をホリゾントピット排気口３０ａから外部に排出するように構成されている。
このようなホリゾント冷却運転を実行することにより、ホリゾント２０は、ホリゾント裏面側空間２１を上方から下方に向けて降下する低温の空調空気ＳＡとの熱交換により冷却される。すると、そのホリゾント２０の表面側の下方側領域Ａ２に形成される低温空気層が、側面のホリゾント２０からの冷熱により一層快適な状態で維持される。
【００３６】
このようなホリゾント冷却運転を実行することにより、ホリゾント裏面側空間２１を降下した比較的低温の空調空気ＳＡが連通口２１ａを通じてホリゾントピット３０に流入する。このことで、ホリゾントピット３０に設けられた照明機器３５が作動して発熱している状態であっても、当該ホリゾントピット３０が比較的低温の状態に維持される。また、ホリゾントピット３０にて照明機器３５の発熱により昇温した比較的高温の空気については、ホリゾントピット排気口３０ａから直接外部に排出される。このことで、照明機器３５の発熱により比較的高温となったホリゾントピット３０の空気が、下方側領域Ａ２に流入することが抑制される。このとき、ホリゾントピット排気口３０ａからの排気量は、ホリゾント裏面側給気口４ａからの空調空気ＳＡの給気量と同等又はそれ以上に設定されている。このことにより、ホリゾントピット３０にて照明機器３５の発熱により昇温した空気の略全てをホリゾントピット排気口３０ａから外部に排出することができ、ホリゾントピット３０から下方側領域Ａ２への高温空気の流出を適切に防止することができる。
【００３７】
更に、ホリゾント２０の表面の冷気は、当該ホリゾント２０の表面に沿って自然降下して、ホリゾントピット３０の上部に到達する。そして、ホリゾントピット３０の上面が透明板等により封鎖されている場合には、ホリゾント２０の表面に沿って降下した冷気は、ホリゾントピット３０の上面に沿って床面１１上側に流入し、当該床面１１上に形成された低温空気層に合流させることができる。一方、ホリゾントピット３０の上面が開放されている場合には、ホリゾント２０に沿って降下した冷気はホリゾントピット３０に流入させることができる。
尚、本実施形態では、ホリゾントピット３０の空気をホリゾントピット排気口３０ａから外部に排出するように構成したが、ホリゾントピット排気口３０ａからの排気量を低下させるなどして、その空気の一部又は全部をホリゾントピット排気口３０ａから排出せずに下方側領域Ａ２に流出させるように構成しても構わない。
【００３８】
〔空調モード切替処理〕
空調モード切替手段５４は、利用者による入力操作に基づいて、複数の空調モードから実行する空調モードを切り替える空調モード切替処理を実行可能に構成されている。
このような複数の空調モードには、詳細については後述するが、通常空調モード（第２空調モードの一例）、排気モード、スタンバイ空調モード（第１空調モードの一例）が含まれており、それら各モードの詳細について以下に説明を加える。
【００３９】
（通常空調モード）
通常空調モード（第２空調モードの一例）は、天井側領域空調運転手段５１による天井側領域空調運転を実行し、下方側領域空調運転手段５２による下方側領域空調運転を実行し、ホリゾント冷却運転手段５３によるホリゾント冷却運転を実行する空調モードである。かかる通常空調モードは、例えば、照明機器４５が作動する天井領域Ａ１での空気の高温化防止、及び人が活動する下方側領域Ａでの快適性向上を目的に好適に選択される。
【００４０】
更に、この通常空調モードとしては、下方側領域Ａ２の空調負荷に応じて適時選択可能な低負荷空調モード及び高負荷空調モードが設けられている。
【００４１】
低負荷空調モードは、照明下給気口３ｂからの空調空気ＳＡの吹き出しを停止したり、空調空気ＳＡの温度を高めに設定するなどして、下方側領域Ａ２における空調負荷の減少に対応する空調モードとして構成されている。そして、この低負荷空調モードは、例えば、観客を動員しない場合のように下方側領域Ａ２で活動する人が少ないときの低負荷時に好適に選択される。
【００４２】
一方、高負荷空調モードは、照明下給気口３ｂからの空調空気ＳＡの吹き出しを行い、空調空気ＳＡの温度を低めに設定するなどして、下方側領域Ａ２における空調負荷の増加に対応する空調モードとして構成されている。そして、この高負荷空調モードは、例えば、観客を動員する場合のように下方側領域Ａ２で活動する人が多いときの高負荷時に好適に選択される。
【００４３】
（排気モード）
排気モードでは、天井側領域空調運転手段５１による天井側領域空調運転を実行し、下方側領域空調運転手段５２による下方側領域空調運転及びホリゾント冷却運転手段５３によるホリゾント冷却運転を夫々停止し、ホリゾントピット３０の空気をホリゾントピット排気口３０ａから外部に排出するホリゾントピット排気運転を実行する空調モードである。かかる排気モードは、例えば、照明機器４５が作動する天井領域Ａ１での空気の高温化防止、及び演出等で発生させたスモークの排気を目的に好適に選択される。
【００４４】
（スタンバイ空調モード）
スタンバイ空調モード（第１空調モードの一例）は、天井側領域空調運転手段５１による天井側領域空調運転、及びホリゾント冷却運転手段５３によるホリゾント冷却運転を夫々停止しながら、下方側領域空調運転手段５２による下方側領域空調運転を実行する空調モードである。かかるスタンバイ空調モードは、例えば、収録開始前の準備段階等において下方側領域Ａでの快適性向上を目的に好適に選択される。
また、このスタンバイ空調モードで実行する下方側領域空調運転では、開閉ダンパＶ２を開状態とすることで、床下空間１２への空調空気ＳＡへの供給は行いながら、開閉ダンパＶ３を閉状態とすることで、タスク空調用給気口６ａへの空調空気ＳＡの供給は停止されている。
即ち、このスタンバイ空調モードでは、収録開始前の下方側領域Ａ２には殆ど人が存在しないことから、タスク空調用給気口６ａから人への直接的な空調空気ＳＡの吹き出しは停止されている。一方、床下空間１２へは空調空気ＳＡが供給されて、床面１１が十分に冷却されるので、次の収録時に選択される通常空調モードにおいて迅速に快適性を向上させることができる。
【００４５】
〔別実施形態〕
本発明の他の実施形態について説明する。尚、以下に説明する各実施形態の構成は、それぞれ単独で適用することに限らず、他の実施形態の構成と組み合わせて適用することも可能である。
（１）上記実施形態では、下方側領域Ａ２において一層快適な低温空気層を形成するために、下方側給気口６ａにより空調空気ＳＡを水平方向に向けて吹き出すように構成したが、当該低温空気層が形成される範囲内において下方側給気口６ａによる空調空気ＳＡの吹出方向を変更しても構わない。
【００４６】
（２）上記実施形態では、スタンバイ空調モードや通常空調モードなどの複数の空調モードを予め設定し、空調モード切替手段５４により、それら複数の空調モードから実行する空調モードを切り替えるように構成したが、当然別の種類の空調モードを設定しておいても構わない。また、このような空調モード切替手段５４によらずに、天井側領域空調運転手段５１による天井側領域空調運転や、下方側領域空調運転手段５２による下方側領域空調運転や、ホリゾント冷却運転手段５３によるホリゾント冷却運転等の各種運転の夫々について、実行と停止とを個別に切り替えるように構成しても構わない。
【００４７】
（３）上記実施形態では、下方側領域Ａ２の側方にホリゾント２０が設けられ、そのホリゾント２０の下端部に隣接する箇所にホリゾントピット３０が設けられた例を説明したが、このようなホリゾントやホリゾントピットが存在しない場合であっても、本発明に係る空調システムを適用することができる。
【００４８】
（４）上記実施形態では、下方側給気口６ａに供給される前の空調空気ＳＡを床下空間１２に通流させることで、床面１１を冷却するように構成したが、空調機１で冷却された空調空気ＳＡを床下空間１２に通流させることなく下方側給気口６ａに供給するように構成しても構わない。
【００４９】
（５）上記実施形態では、床下空間１２を通流した後の空調空気ＳＡを床面給気口１１ａから下方側領域Ａ２に供給するように構成したが、床下空間１２を通流した後の空調空気ＳＡを下方側領域Ａ２に供給することなく直接外部に排出するように構成しても構わない。
【符号の説明】
【００５０】
１      空調機
３ａ    天井側給気口
４ａ    ホリゾント裏面側給気口
６ａ    タスク空調用給気口（下方側給気口）
７ａ    天井側排気口
１１    床面
１１ａ  床面給気口（下方側給気口）
１２    床下空間
２０    ホリゾント
２１    ホリゾント裏面側空間
２１ａ  連通口
３０    ホリゾントピット
３０ａ  ホリゾントピット排気口
３５    照明機器
４５    照明機器
５１    天井側領域空調運転手段
５２    下方側領域空調運転手段
５３    ホリゾント冷却運転手段
５４    空調モード切替手段
Ａ      空調対象空間
Ａ１    天井側領域
Ａ２    下方側領域
ＳＡ    空調空気
【図１】
2019152415.tif 000003